(57)【要約】      （修正有）【課題】装飾が施された装身具において、装着者が動いたときに、装飾体の裏表が反対になってしまうという問題を取り除き、装飾体が動いても、装飾体に対して裏表という概念を感じさせることなく、また、動くことによる装飾体のひっくり返りを気にすることなく、着けている装身具の装飾体が、装着者の動きとともに回転し、さらには回転軸に可動自由度の高いチェーン等の部材を用いることによって、破損可能性の低い装身具を提供する。【解決手段】装身具の装飾体部分に、少なくとも２面以上の物理的、論理的な、それぞれ異なる装飾を施した複数面を構成し、装飾体の上下中心軸に回転機能を持たせるとともに、回転機能の軸部分には可動自由度の高いチェーン等の部材を用いることによって、装着者がどんなに激しい動きをしても破損しにくく、また装身具の装飾体が裏表という概念にならない、異なる装飾面からなる回転する装身具とする。【選択図】図１
2018183373.tif 000002
【特許請求の範囲】
【請求項１】
少なくとも２つ以上の物理的、論理的な面を有し、そのすべての面構成に骨組み枠を含む何らかの装飾を施した装身具において、装身具の形状に対して垂直方向となる中心軸に回転機能を設け、回転機能の軸部分には可動自由度の高いチェーン状の部材、もしくは可動自由度の高い撚線を用いることによって、衝撃や圧力等による回転軸折れ曲りなどの破損可能性を限りなく低くした、装身具の装飾部分がどの面を向いていても、違和感なくデザイン、装飾を楽しむことのできる装身具。
【請求項２】
回転機能にベアリングを用いた請求項1に記載の装身具。
【請求項３】
装飾複数面にそれぞれ異なる宝石を設置した請求項1に記載の装身具。
【請求項４】
装飾面の上部から下部全体、あるいは一部に、垂直方向に対してひねり構造が加えられた請求項1に記載の装身具。
【発明の詳細な説明】
【技術分野】
【０００１】
この発明は、身に着ける装身具において、装飾部に複数の装飾面を有するとともに、回転機能を備え、かつ回転部分が破損可能性の低い装身具に関するものである。
【背景技術】
【０００２】
一般的な装身具は、装身具を装着した人の正面から見た時に、装飾部分が正面を向いているにときに正しく見えるように作られている。
【０００３】
これは、装身具の肌に触れている部分を裏、正面から見て見える部分を表と捉えた概念に基づいているからである。
【０００４】
しかし、首に装着する装身具では、装着者の動きによっては前述した装飾部分の裏と表が入れ替わってしまう場合もあり、装飾の形状によっては裏のまま装着者が気付かないまま装身具を着けているという問題があった。
【０００５】
特開平０６−０６２８１１に見るような指輪の上で装飾部が回転したり、類似の仕組みでペンダントとして左右に揺れ動いたりする装身具はあるが、裏表という製品概念があり、
さらには回転部分の軸が衝撃等で曲り、破損してしまうという可能性があり、問題解決に至っていない。
【先行技術文献】
【特許文献】
【０００６】
【特許文献１】特開平０６−０６２８１１
【発明の概要】
【発明が解決しようとする課題】
【０００７】
この発明は前述した問題点を解決するものであり、身に着けた装身具の装飾部分が３６０度のどの方向から見ても、デザイン的に違和感を感じることがなく、かつ破損可能性の極めて低い装身具を提供するものである。
【課題を解決するための手段】
【０００８】
以上の課題を解決するため、この発明では、少なくとも、物理的、理論的に捉えて２つ以上の面を設けた装飾体に、回転機能を有するようにした。
【０００９】
また、この発明では、回転部分に耐摩耗性を持たせるため、ベアリングを使用し、その軸部分には、衝撃や折り曲げでも破損しないよう、可動自由度の高いチェーン状の部材を用いた。
【００１０】
さらに、この発明では、施した装飾部分にひねりを加えることによって、装飾部分が人の動きに合わせて回転しやすいようにした。
【発明の効果】
【００１１】
この発明によれば、装身具の装飾体部分が複数の物理的、理論的面を有し、異なる装飾を施されているので、どこから見ても違和感を感じることがなく、破損可能性の低い回転機能を加えることによって、いろいろな装飾面を楽しめる装身具を提供することができるようになった。
【図面の簡単な説明】
【００１２】
【図１】この発明の完成正面図である。
【００１３】
【図２】この発明の完成斜図である。
【００１４】
【図３】この発明の完成品の分解図である。
【発明を実施するための形態】
【００１５】
まず最初に、装身具の装飾体部分の複数の面構成を熟考し、各面のデザインを検討する。
【００１６】
デザインを決定した後、複数の面が装飾体上下回転軸を中心にして、重量的につり合いが取れるよう構成をする。
【００１７】
［実施例１］
デザイン構成をした後、一般的なジュエリー製造と同様の製造工程を経て、この発明の装身具を製造していく。
【００１８】
装身具の装飾部となる、３個の異なる装飾をした回転する本体となる部分を鋳造製造する。
【００１９】
図１は、この発明の完成図であるが、回転する本体がこのような形状になるよう３個の面をロー付、あるいはレーザー等で接合する。
【００２０】
接合した本体は研磨を施し、図３に示す、それぞれの部材を順番に接合、組立をおこなっていく。
【００２１】
まず最初に、３のチェーンの先端に５のリベットを接合する。
【００２２】
次に上述で出来た部材をの３のチェーンの反対側を先端とし、４のベアリング内部に通す。
【００２３】
次に上述で出来た部材を、３のチェーンの反対側を先端とし８の本体下穴から通し、６の本体上穴まで通す。
【００２４】
このとき、３のチェーンの先端駒には駒内のスペースを通過する寸法の細いワイヤーなどを通して作業を行うと、効率よく通すことができる。
【００２５】
次に、６の本体上穴から飛び出している３のチェーンの駒の空間と、１のバチカンの空間に２の丸環を同時に通し、それぞれが独立して可動するよう接合する。
【００２６】
ここまでの工程を終えると、当発明の製品の構造は完成となる。
【００２７】
前述したすべての作業が終了した後、全体を研磨し、必要であればメッキを施し、ベアリング３の摺動部分に若干の潤滑油を付け、この発明の装身具は完成をする。
【００２８】
完成したこの発明の装身具１０本体の１のバチカンにネックレスチェーンを通し、実際に首に装着し、歩行、お辞儀、階段の上り下りなどを繰り返し、その都度、この発明の装身具の装飾部分の向きを確認し、統計的な数値を得たところ、本体は常に回転していることを確認できた。
【００２９】
また、この発明の本体をイヤリングとして加工し、前述したテストを行ったところ、同じような結果が得られた。
【産業上の利用可能性】
【００３０】
この発明の装身具は、異なる装飾が施された、物理的、理論的な複数の面からなっていて、装身具を着けた人の動きによって回転するので、装飾部分の裏表という概念がなく、装飾体がどの面を向いていても良い万能な装身具を提供することが可能となった。
【符号の説明】
【００３１】
１  バチカン（ネックレスチェーン通し部品）
２  丸環
３  チェーン
４  ベアリング
５  リベット
６  本体上穴
７  装飾面
８  本体下穴
１０  装飾品本体
【図１】
2018183373.tif 000003
【図２】
2018183373.tif 000004
【図３】
2018183373.tif 000005